(57)【要約】【課題】  積載スペースを狭めることなく、作業者を安全に繋ぎ止めることができ、しかも、簡易に構成して安価に作製することができるようにする。【解決手段】  作業者が外周面Ｗｃに立つことのできる大きさの円筒形の物品Ｗをその軸線が水平一方向に沿うように縦横複数且つ多段に積載する積載物に装着され、積載物Ｃ上で作業をする作業者を繋ぎ止める繋止索が連係されて作業者の積載物Ｃからの墜落を防止するもので、繋止索が連係される脚杆２と、脚杆２の基端に設けられ軸線方向に互いに隣接する一対の物品Ｗの夫々の開口Ｗａから差し込まれて各物品Ｗの内周面Ｗｂに係止される係止杆３とを有した略Ｔ字状の脚体１を備え、脚体１を一対用い、各脚体１の各係止杆３が互いに平行になって開閉可能になるよう各脚体１の脚杆２の途中を互いに回動可能に接続し、各係止杆３の所要の開閉位置で脚杆２の回動を解除可能にロックするロック機構１０を備えた。【選択図】図１
2015195952.tif 000002
【特許請求の範囲】
【請求項１】
作業者が外周面に立つことのできる大きさの円筒形の物品をその軸線が水平一方向に沿うように縦横複数且つ多段に積載する積載物に装着され、該積載物上で作業をする作業者を繋ぎ止める繋止索が連係されて作業者の積載物からの墜落を防止する墜落防止装置であって、
上記繋止索が連係される脚杆と、該脚杆の基端に設けられ軸線方向に互いに隣接する一対の物品の夫々の開口から差し込まれて該各物品の内周面に係止される係止杆とを有した略Ｔ字状の脚体を備え、該脚体を一対用い、該各脚体の各係止杆が互いに平行になって開閉可能になるよう該各脚体の脚杆の途中を互いに回動可能に接続し、該各係止杆の所要の開閉位置で上記脚杆の回動を解除可能にロックするロック機構を備えたことを特徴とする墜落防止装置。
【請求項２】
上記一対の脚体のうち少なくとも何れか一方の脚体の脚杆に上記係止杆に平行で上記物品の外周面に当接可能な当接杆を設けたことを特徴とする請求項１記載の墜落防止装置。
【請求項３】
上記一対の脚体のうち何れか一方の脚体の脚杆に上記係止杆に平行で上記物品の外周面に当接可能な当接杆を設け、上記一対の脚体のうち何れか他方の脚体の脚杆に上記当接杆に平行な回動軸を設け、上記当接杆に上記回動軸を回動可能に軸支する軸受部を設けたことを特徴とする請求項１または２記載の墜落防止装置。
【請求項４】
上記ロック機構を、上記一対の脚体のうち何れか一方の脚体の脚杆から該脚杆の回動中心を中心とする円周方向に沿って延びるとともに該円周方向に沿って所定間隔で形成された複数の第一貫通孔を有した第一板材と、上記一対の脚体のうち何れか他方の脚体の脚杆から延び上記第一板材に摺接可能且つ上記各第一貫通孔に対応する少なくとも一つの第二貫通孔を有した第二板材と、上記何れかの第一貫通孔及び第二貫通孔に挿脱可能に挿通されるロックピンとを備えて構成したことを特徴とする請求項１乃至３何れかに記載の墜落防止装置。
【請求項５】
上記各脚体の脚杆に、夫々、ロープを止着するためのリング状の止着部を設けたことを特徴とする請求項１乃至４何れかに記載の墜落防止装置。
【請求項６】
上記一対の脚体のうち少なくとも何れか一方の脚体の脚杆の先端部を、上記ロープを巻回したリールを回転可能に支持する支持軸として構成したことを特徴とする請求項５記載の墜落防止装置。
【請求項７】
作業者が外周面に立つことのできる大きさの円筒形の物品をその軸線が水平一方向に沿うように縦横複数且つ多段に積載する積載物上において、作業をする作業者の当該積載物からの墜落を防止する墜落防止方法であって、
上記請求項１乃至６記載の墜落防止装置を一対用い、各墜落防止装置を所定間隔離間させて当該積載物に装着し、該各墜落防止装置間にロープを架設し、該ロープに上記積載物上で作業をする作業者を繋ぎ止める繋止索の端部を移動可能に保持することを特徴とする墜落防止方法。
【請求項８】
補助索の一端が取付けられる脚杆体と、該脚杆体の先端に設けられ軸線方向に互いに隣接する一対の物品の夫々の開口から差し込まれて該各物品の内周面に係止される係止杆体とを有した略Ｔ字状の補助脚体を用い、上記各墜落防止装置の外側に、夫々、上記補助脚体を上記積載物に装着し、該補助脚体の脚杆体に取付けられた補助索の他端を対応する墜落防止装置に止着したことを特徴とする請求項８記載の墜落防止方法。
【発明の詳細な説明】
【技術分野】
【０００１】
本発明は、積載物上で作業をする作業者の墜落を防止する墜落防止装置及びこれを用いた墜落防止方法に係り、特に、作業者が外周面に立つことのできる大きさの円筒形の物品を積載する積載物上で作業をする作業者の積載物からの墜落を防止する墜落防止装置及びこれを用いた墜落防止方法に関する。
【背景技術】
【０００２】
一般に、この種の円筒形の物品として、例えば、図１４に示すように、金属線や導線その他の線材を円筒状に巻いて包装した所謂「線材コイル」といわれる物品Ｗがある。その大きさは、例えば、直径が１３００ｍｍ、長さが１６００ｍｍであり、その重さが、例えば、２〜２．５ｔになる。この物品Ｗは、例えば、貨物船などの船舶に積み込んで搬送することを行う。その際には、図１４に示すように、物品Ｗをその軸線Ｐが水平一方向に沿うように縦横複数且つ多段に積載する。この場合、作業者が、この物品Ｗを積載した積載物Ｃ上で作業を行う際は、例えば、物品Ｗを積載するときは、クレーンから対象となる物品Ｗを受け取り、あるいは、物品Ｗを荷降ろしするときは、対象となる物品Ｗにワイヤを掛けクレーンに受け渡したりする。ところで、この作業者の積載物Ｃ上での作業は、極めて危険であり、墜落の可能性もあるので、そのため、従来から、墜落防止装置を用いて、作業者の積載物Ｃからの墜落を防止することを行う。
【０００３】
従来、墜落防止装置としては、例えば、図１５に示すように、積載物Ｃの近傍に設置するものがある。この墜落防止装置１００は、車両１０１に伸縮可能な支柱１０２を立設し、その上端に縦軸心周りに回転可能な水平アーム１０３を設け、この水平アーム１０３の先端に引き出し及び引き戻し可能に繋止索Ｓを収納した安全ブロック１０４を連結するとともに、その繋止索Ｓの先端を作業者に連結するようにしている（例えば、特開２００２−１０４７７６号公報（特許文献１）に掲載）。
また、墜落防止装置として、図示しないが、例えば、船舶の内壁部にレールを設け、このレールにガイドされて移動可能な移動部材を設け、この移動部材に作業者を繋ぎ止める繋止索を連結するようしたものもある（例えば、特開２０１３−５９７３号公報（特許文献２）に掲載）。
【先行技術文献】
【特許文献】
【０００４】
【特許文献１】特開２００２−１０４７７６号公報
【特許文献２】特開２０１３−５９７３号公報
【発明の概要】
【発明が解決しようとする課題】
【０００５】
ところで、上記前者の従来の墜落防止装置１００においては、積載物Ｃの近傍に作業者を繋ぎ止める支柱１０２を有した車両１０１を設置しなければならないが、船舶内はスペースが限定されていることから、車両１０１が積載スペースを狭めてしまい積載効率を損ねるという問題があった。また、支柱１０２が高いので、船舶の天井に当たることもあり、その場合には、実質的に装置を機能させることができない。更に、船舶に対する車両１０１の搬入，搬出も極めて面倒になるという問題もある。
一方、上記後者の従来の墜落防止装置にあっては、船舶の内壁部にレールを設けるので、船舶内の積載スペースを狭める等の上記前者の問題は解消するが、レールの設置が難しく、また、設置するとしても装置が大掛かりになりコスト高になってしまうという問題があった。
【０００６】
本発明は、上記の点に鑑みてなされたもので、積載スペースを狭めることなく、作業者を安全に繋ぎ止めることができ、しかも、簡易に構成して安価に作製することのできる墜落防止装置及びこれを用いた墜落防止方法を提供することを目的とする。
【課題を解決するための手段】
【０００７】
このような目的を達成するため、本発明の墜落防止装置は、作業者が外周面に立つことのできる大きさの円筒形の物品をその軸線が水平一方向に沿うように縦横複数且つ多段に積載する積載物に装着され、該積載物上で作業をする作業者を繋ぎ止める繋止索が連係されて作業者の積載物からの墜落を防止する墜落防止装置であって、上記繋止索が連係される脚杆と、該脚杆の基端に設けられ軸線方向に互いに隣接する一対の物品の夫々の開口から差し込まれて該各物品の内周面に係止される係止杆とを有した略Ｔ字状の脚体を備え、該脚体を一対用い、該各脚体の各係止杆が互いに平行になって開閉可能になるよう該各脚体の脚杆の途中を互いに回動可能に接続し、該各係止杆の所要の開閉位置で上記脚杆の回動を解除可能にロックするロック機構を備えた構成としている。
【０００８】
この墜落防止装置は、一対の脚体を備えた簡易な構造のものであり、コストを安く作製することができる。また、脚体を閉じて折畳んだ状態ではＴ字状の手で持ち易い極めてコンパクトな形になり、そのため、持ち運びが容易になる。
そして、この墜落防止装置を用いるときは、例えば、貨物船などの船舶内で用いる。この使用に際しては、ある程度物品が縦横複数且つ数段以上に積載された状態で用いる。例えば、墜落防止装置を２台用い、各墜落防止装置を所定間隔離間させ、夫々を積載物に装着する。
【０００９】
この装着は、閉じた一対の脚杆を持って係止杆を軸線方向に互いに隣接する一対の物品の隙間から差し入れ、脚杆を略９０度回転させて隣接する一対の物品の夫々の開口から係止杆を内部に差し込む。即ち、係止杆の脚杆の基端を境にした一方側を隣接した一方の物品の内部に差込み、係止杆の脚杆の基端を境にした他方側を隣接した他方の物品の内部に差込む。次に、一対の脚体の脚杆同士を互いに回動させて係止杆を開き、この係止杆を各物品の内周面に係止する。その後、ロック機構により、この各脚杆の回動をロックする。これにより、墜落防止装置が装着される。この場合、係止杆を開いてロックするだけで積載物に装着できるので、操作が簡単であり、それだけ、作業性を向上させることができる。
【００１０】
それから、各墜落防止装置間にロープを架設する。そして、このロープに積載物上で作業をする作業者を繋ぎ止める繋止索の端部を移動可能に保持する。この状態で、作業を行う。この際、作業者はロープに沿うように積載物上を行き来することができ、また、繋止索の長さ分前後にも移動して作業することができる。この場合、墜落防止装置は、係止杆において一対の物品に係止されるので、物品から容易に抜けることがなく、作業者の安全を確実に確保することができる。また、この場合、墜落防止装置は、積載物に装着されるので、積載スペースを狭めることがなく、それだけ、積載効率を向上させることができる。
【００１１】
そして、必要に応じ、上記一対の脚体のうち少なくとも何れか一方の脚体の脚杆に上記係止杆に平行で上記物品の外周面に当接可能な当接杆を設けた構成としている。これにより、脚体の係止杆が物品の内周面から離れて下方に落下しようとしても、当接杆が物品の外周面に当接するので、落下が防止される。そのため、墜落防止装置は、より一層確実に一対の物品に係止されるので、物品から容易に抜けることがなく、作業者の安全を確実に確保することができる。
【００１２】
また、必要に応じ、上記一対の脚体のうち何れか一方の脚体の脚杆に上記係止杆に平行で上記物品の外周面に当接可能な当接杆を設け、上記一対の脚体のうち何れか他方の脚体の脚杆に上記当接杆に平行な回動軸を設け、上記当接杆に上記回動軸を回動可能に軸支する軸受部を設けた構成としている。軸受部で回動軸を回動可能に軸支するので、脚杆の回動を円滑に行うことができ、それだけ、操作性を向上させることができる。
【００１３】
更に、必要に応じ、上記ロック機構を、上記一対の脚体のうち何れか一方の脚体の脚杆から該脚杆の回動中心を中心とする円周方向に沿って延びるとともに該円周方向に沿って所定間隔で形成された複数の第一貫通孔を有した第一板材と、上記一対の脚体のうち何れか他方の脚体の脚杆から延び上記第一板材に摺接可能且つ上記各第一貫通孔に対応する少なくとも一つの第二貫通孔を有した第二板材と、上記何れかの第一貫通孔及び第二貫通孔に挿脱可能に挿通されるロックピンとを備えて構成している。ロック機構を簡易な構造にすることができ、この点でも装置をコンパクトにすることができる。また、一対の墜落防止装置間にロープを架設する場合には、ロープに生じる張力の方向が、ロックピンのせん断方向に働くので、それだけ、ロックが確実になる。
【００１４】
更にまた、上記各脚体の脚杆に、夫々、ロープを止着するためのリング状の止着部を設けた構成としている。ロープを止着し易くなる。
また、必要に応じ、上記一対の脚体のうち少なくとも何れか一方の脚体の脚杆の先端部を、上記ロープを巻回したリールを回転可能に支持する支持軸として構成している。一対の墜落防止装置間にロープを架設する場合、リールを支持軸に支持してロープを引出すことができ、それだけ、ロープの装着を容易にすることができる。
【００１５】
そしてまた、上記目的を達成するため、本発明の墜落防止方法は、作業者が外周面に立つことのできる大きさの円筒形の物品をその軸線が水平一方向に沿うように縦横複数且つ多段に積載する積載物上において、作業をする作業者の当該積載物からの墜落を防止する墜落防止方法であって、上記の墜落防止装置を一対用い、各墜落防止装置を所定間隔離間させて当該積載物に装着し、該各墜落防止装置間にロープを架設し、該ロープに上記積載物上で作業をする作業者を繋ぎ止める繋止索の端部を移動可能に保持する構成としている。上記と同様の作用，効果を奏する。
【００１６】
この場合、補助索の一端が取付けられる脚杆体と、該脚杆体の先端に設けられ軸線方向に互いに隣接する一対の物品の夫々の開口から差し込まれて該各物品の内周面に係止される係止杆体とを有した略Ｔ字状の補助脚体を用い、上記各墜落防止装置の外側に、夫々、上記補助脚体を上記積載物に装着し、該補助脚体の脚杆体に取付けられた補助索の他端を対応する墜落防止装置に止着したことが有効である。墜落防止装置を補助脚体によって補助索を介して更に積載物に係止できるので、ロープの張力が大きくなっても、確実に墜落防止装置を押えることができ、より一層安全性を確保することができる。
【発明の効果】
【００１７】
本発明によれば、墜落防止装置が一対の脚体を備えた簡易な構造なので、コストを安く作製することができる。また、脚体を閉じて折畳んだ状態ではＴ字状の手で持ち易い極めてコンパクトな形になり、そのため、持ち運びを容易にすることができる。また、この墜落防止装置を、例えば、貨物船などの船舶内で用いる際には、係止杆を開いてロックするだけで積載物に装着できるので、操作が簡単であり、それだけ、作業性を向上させることができる。この場合、墜落防止装置は、係止杆において一対の物品に係止されるので、物品から容易に抜けることがなく、作業者の安全を確実に確保することができる。また、墜落防止装置は、積載物に装着されるので、積載スペースを狭めることがなく、それだけ、積載効率を向上させることができる等の種々の効果を奏する。
【図面の簡単な説明】
【００１８】
【図１】本発明の実施の形態に係る墜落防止装置を示す斜視図である。
【図２】本発明の実施の形態に係る墜落防止装置の一方の脚体を示す斜視図である。
【図３】本発明の実施の形態に係る墜落防止装置の他方の脚体を示す斜視図である。
【図４】本発明の実施の形態に係る墜落防止装置の一方の脚体と他方の脚体との接続状態を示す要部断面図である
【図５】本発明の実施の形態に係る墜落防止装置を閉状態で示し、（ａ）は平面図、（ｂ）は正面図、（ｃ）は側面図である。
【図６】本発明の実施の形態に係る墜落防止装置を開状態で示し、（ａ）は平面図、（ｂ）は正面図、（ｃ）は側面図である。
【図７】本発明の実施の形態に係る墜落防止装置の開状態においてロープのリールを装着した状態を示し、（ａ）は平面図、（ｂ）は正面図、（ｃ）は側面図である。
【図８】本発明の実施の形態に係る墜落防止方法で用いる補助脚体を示す斜視図である。
【図９】本発明の実施の形態に係る墜落防止方法を示すとともに、本発明の実施の形態に係る墜落防止装置を積載物に装着した状態を示す正面図である。
【図１０】本発明の実施の形態に係る墜落防止方法を示すとともに、本発明の実施の形態に係る墜落防止装置を積載物に装着した状態を示す平面図である。
【図１１】本発明の実施の形態に係る墜落防止方法を示し、作業者の繋止状態を示す正面図である。
【図１２】本発明の実施の形態に係る墜落防止方法を示し、作業者の繋止状態を示す側面図である。
【図１３】本発明の実施の形態に係る墜落防止装置の別の使い方を示す図である。
【図１４】本発明の実施の形態に係る墜落防止装置及びこれを用いた墜落防止方法が適用される積載物の状態の一例を示す斜視図である。
【図１５】従来の墜落防止装置の一例を示す図である。
【発明を実施するための形態】
【００１９】
以下、添付図面に基づいて本発明の実施の形態に係る墜落防止装置及びこれを用いた墜落防止方法について詳細に説明する。
図１乃至図７，図９及び図１０に示すように、本発明の実施の形態に係る墜落防止装置Ｔは、図１４に示すように、作業者が外周面に立つことのできる大きさの円筒形の物品Ｗをその軸線Ｐが水平一方向に沿うように縦横複数且つ多段に積載する積載物Ｃに装着される。円筒形の物品Ｗとしては、例えば、金属線や導線その他の線材を円筒状に巻いて包装した所謂「線材コイル」といわれるものがある。その大きさは、例えば、直径が１３００ｍｍ、長さが１６００ｍｍであり、その重さが、例えば、２〜２．５ｔになる。所謂「線材コイル」からなる物品Ｗの積載物Ｃにおいては、一般に、隣接する軸線Ｐ方向の物品Ｗ間には、１０ｃｍ〜２０ｃｍ程度の隙間ｅ（図１）が形成され、墜落防止装置Ｔは、この隙間ｅから物品に装着される。
【００２０】
この墜落防止装置Ｔには、図１１及び図１２に示すように、この積載物Ｃ上で作業をする作業者を繋ぎ止める繋止索Ｓが直接若しくは間接に取付けられて連係され、作業者の積載物Ｃからの墜落を防止する。繋止索Ｓの端部には、後述のロープＲに係止してロープＲを長手方向に沿って移動可能なフックＳａが設けられている。フックＳａは、一部が開閉可能なリング状に形成された周知のものである。
【００２１】
実施の形態に係る墜落防止装置Ｔは、図１乃至図７，図９及び図１０に示すように、略Ｔ字状の金属製の脚体１を備えている。脚体１は、繋止索Ｓが連係される脚杆２と、脚杆２の基端に設けられ軸線Ｐ方向に互いに隣接する一対の物品Ｗの夫々の開口Ｗａから差し込まれて各物品Ｗの内周面Ｗｂに係止される係止杆３とを有している。この脚体１は一対用いられる。そして、各脚体１の脚杆２は、途中で交差しており、各脚体１の各係止杆３が互いに平行になって開閉可能になるよう、各脚体１の脚杆２の途中を互いに回動可能に接続している。一方の脚体１（Ａ）の係止杆３は、図２に示すように、棒状部材３ａに板状部材３ｂを溶接して構成されている。他方の脚体１（Ｂ）の係止杆３は、図３に示すように、棒状部材で構成されている。
【００２２】
詳しくは、一対の脚体１のうち少なくとも何れか一方の脚体１（実施の形態では一方の脚体１（Ａ）のみ）の脚杆２には、係止杆３に平行で物品Ｗの外周面Ｗｃに当接可能な金属製の当接杆４が設けられている。当接杆４は、脚杆２の中央から左右に一体に突出形成されている。また、一対の脚体１のうち他方の脚体１（Ｂ）の脚杆２には、当接杆４の左右の一方側に平行な金属製の回動軸５が一体に突設されている。当接杆４の左右の一方側には、回動軸５を回動可能に軸支する金属製の軸受部６が設けられている。軸受部６は固定ベルト７により当接杆４に結束され溶接等で固着されている。回動軸５は、軸受部６に挿通後、先端がＬ字状に折り曲げられて抜け止めされる。当接杆４の両端は、Ｌ字状に折曲形成され、この内側に、種々のものを係止可能なリング部材８が固着されている。符号９は、当接杆４に対する脚杆２の固定を強固にする補強部材である。
【００２３】
また、本墜落防止装置Ｔには、各係止杆３の所要の開閉位置で脚杆２の回動を解除可能にロックするロック機構１０が備えられている。ロック機構１０は、一対の脚体１のうち一方の脚体１（Ａ）の脚杆２から脚杆２の回動中心を中心とする円周方向に沿って延びるとともにこの円周方向に沿って所定間隔で形成された複数の第一貫通孔１２を有した第一板材１１と、一対の脚体１のうち他方の脚体１の脚杆２から延び第一板材１１に摺接可能且つ各第一貫通孔１２に対応する少なくとも一つ（実施の形態では一つ）の第二貫通孔１４を有した第二板材１３と、何れかの第一貫通孔１２及び第二貫通孔１４に挿脱可能に挿通されるロックピン１５とを備えて構成されている。
【００２４】
ロックピン１５は、図１に示すように、ピン本体１６と、ピン本体１６の一端に設けられ第一貫通孔１２及び第二貫通孔１４よりも大径の抜け止めリング１７と、ピン本体１６の他端に設けられスプリングで突出方向に付勢され押圧されて没入可能な係止片１８とを備えて構成されている。係止片１８の突出によりピン本体１６は第一貫通孔１２及び第二貫通孔１４から抜け止めされる。
【００２５】
また、各脚体１の脚杆２には、夫々、ロープＲを止着するためのリング状の止着部２０が設けられている。ロープＲの両端部には、止着部２０に係合する周知のフックＲａが設けられており、非使用時には、中央に貫通孔を有したリール３０に巻回されている。一対の脚体１のうち少なくとも何れか一方の脚体１（実施の形態では両方の脚体１）の脚杆２の先端は、ロープＲを巻回したリール３０の貫通孔に挿通されリール３０を回転可能に支持する支持軸３１として構成されている。
【００２６】
従って、本墜落防止装置Ｔによれば、一対の脚体１を備えた簡易な構造のものであるので、コストを安く作製することができる。また、脚体１を閉じて折畳んだ状態ではＴ字状の手で持ち易い極めてコンパクトな形になり、そのため、持ち運びが容易になる。
【００２７】
次に、本発明の実施の形態に係り、本墜落防止装置Ｔを用いた、墜落防止方法について説明する。この方法においては、図８乃至図１１に示すように、補助脚体４０を用いる。補助脚体４０は、補助索４１の一端が取付けられる脚杆体４２と、脚杆体４２の先端に設けられ軸線Ｐ方向に互いに隣接する一対の物品Ｗの夫々の開口Ｗａから差し込まれて各物品Ｗの内周面Ｗｂに係止される係止杆体４３とを有し、全体が略Ｔ字状に形成されている。脚杆体４２の先端及び基端にはリング状の連結部４４が複数形成されており、この連結部４４の何れかに補助索４１の一端が結着される。補助索４１の他端には、墜落防止装置Ｔの脚体１に設けた止着部２０に係止可能なフックが設けられている。
【００２８】
そして、この墜落防止装置Ｔを用いるときは、例えば、貨物船などの船舶内で用いる。図１，図１０乃至図１２に示すように、この使用に際しては、ある程度物品Ｗが縦横複数且つ数段以上に積載された状態で用いる。例えば、墜落防止装置Ｔを２台用い、各墜落防止装置Ｔを所定間隔離間させ、夫々を積載物Ｃに装着する。
この装着は、墜落防止装置Ｔの閉じた一対の脚杆２を持って係止杆３を軸線方向に互いに隣接する一対の物品Ｗの隙間ｅ（図１）から差し入れ、脚杆２を略９０度回転させて隣接する一対の物品Ｗの夫々の開口Ｗａから係止杆３を内部に差し込む。即ち、係止杆３の脚杆２の基端を境にした一方側を隣接した一方の物品Ｗの内部に差込み、係止杆３の脚杆２の基端を境にした他方側を隣接した他方の物品Ｗの内部に差込む。次に、一対の脚体１の脚杆２同士を互いに回動させて係止杆３を開き、この係止杆３を各物品Ｗの内周面Ｗｂに係止する。この場合、軸受部６で回動軸５を回動可能に軸支しているので、脚杆２の回動を円滑に行うことができ、それだけ、操作性を向上させることができる。
【００２９】
その後、ロック機構１０により、この各脚杆２の回動をロックする。この場合、ロックピン１５を第一貫通孔１２及び第二貫通孔１４に差し込むと、係止片１８がスプリングの付勢力により後退して没入位置に至るので、ピン本体１６が第一貫通孔１２及び第二貫通孔１４に挿通され、その後、スプリングの付勢力により係止片１８が突出位置に至り、ピン本体１６は第一貫通孔１２及び第二貫通孔１４から抜け止めされる。これにより、墜落防止装置Ｔが装着される。この場合、係止杆３を開いてロックするだけで積載物Ｃに装着できるので、操作が簡単であり、それだけ、作業性を向上させることができる。
【００３０】
それから、図７，図９及び図１０に示すように、各墜落防止装置Ｔ間にロープＲを架設する。この場合、ロープＲが巻回されたリール３０を、一方の墜落防止装置Ｔの支持軸３１に軸支し、ロープＲを引き出す。引出したロープＲの一端のフックＲａは一方の墜落防止装置Ｔの他方の墜落防止装置Ｔ側に位置する止着部２０に係止し、ロープＲの他端のフックＲａは他方の墜落防止装置Ｔの一方の墜落防止装置Ｔ側に位置する止着部２０に係止する。この場合、リール３０を支持軸３１に支持してロープＲを引出すことができ、ロープＲの装着を容易にすることができる。また、止着部２０にロープＲを止着するため止着し易くなる。
【００３１】
また、各墜落防止装置Ｔの外側に夫々補助脚体４０を装着する。この装着は、補助脚体４０の脚杆体４２を持って係止杆体４３を軸線Ｐ方向に互いに隣接する一対の物品Ｗの隙間から差し入れ、脚杆体４２を略９０度回転させて隣接する一対の物品Ｗの夫々の開口Ｗａから係止杆体４３を内部に差し込む。即ち、係止杆体４３の脚杆体４２の基端を境にした一方側を隣接した一方の物品Ｗの内部に差込み、係止杆体４３の脚杆体４２の基端を境にした他方側を隣接した他方の物品Ｗの内部に差込む。次に、補助脚体４０の脚杆体４２に取付けられた補助索４１の他端のフックを対応する墜落防止装置ＴのロープＲが止着されていない外側の止着部２０に止着する。
【００３２】
そして、図１１及び図１２に示すように、ロープＲに積載物Ｃ上で作業をする作業者を繋ぎ止める繋止索Ｓの端部のフックＳａを移動可能に係止する。この状態で、作業を行う。例えば、作業者が、この物品Ｗを積載した積載物Ｃ上で、物品Ｗを積載する際はクレーンから対象となる物品Ｗを受け取り、あるいは、物品Ｗを荷降ろしする際は対象となる物品Ｗにワイヤを掛けクレーンに受け渡したりする。この際、作業者はロープＲに沿うように積載物Ｃ上を行き来することができ、また、繋止索Ｓの長さ分前後にも移動して作業することができる。この場合、墜落防止装置Ｔは、係止杆３において一対の物品Ｗに係止されるので、物品Ｗから容易に抜けることがなく、作業者の安全を確実に確保することができる。また、一対の墜落防止装置Ｔ間に架設したロープＲには作業者が作業すると張力が生じるが、ロック機構１０においては、この張力の方向が、ロックピン１５のせん断方向に働くので、それだけ、ロックが確実になる。更に、この場合、墜落防止装置Ｔは、積載物Ｃに装着されるので、積載スペースを狭めることがなく、それだけ、積載効率を向上させることができる。
【００３３】
また、この場合、一方の脚体１（Ａ）の脚杆２には係止杆３に平行で物品Ｗの外周面Ｗｃに当接可能な当接杆４が設けられているので、脚体１の係止杆３が物品Ｗの内周面Ｗｂから離れて下方に落下しようとしても、当接杆４が物品Ｗの外周面Ｗｃに当接するので、落下が防止される。そのため、墜落防止装置Ｔは、より一層確実に一対の物品Ｗに係止されるので、物品Ｗから容易に抜けることがなく、作業者の安全を確実に確保することができる。更に、各墜落防止装置Ｔは、補助脚体４０によって補助索４１を介して更に積載物Ｃに係止されているので、ロープＲの張力が大きくなっても、確実に墜落防止装置Ｔを押えることができ、より一層安全性を確保することができる。
【００３４】
尚、上記実施の形態において、墜落防止装置Ｔを２つ用いてロープＲを架設したが、このような使い方に限定されない。即ち、図１３に示すように、墜落防止装置Ｔを一つ用い、これに、繋止索Ｓを取付けて、作業者を支持するようにして用いても良く、適宜変更して差支えない。
【符号の説明】
【００３５】
Ｔ  墜落防止装置
Ｃ  積載物
Ｗ  物品
Ｗａ  開口
Ｗｂ  内周面
Ｗｃ  外周面
Ｐ  軸線
ｅ  隙間
Ｓ  繋止索
Ｓａ  フック
１  脚体
１（Ａ）  一方の脚体
１（Ｂ）  他方の脚体
２  脚杆
３  係止杆
４  当接杆
５  回動軸
６  軸受部
１０  ロック機構
１１  第一板材
１２  第一貫通孔
１３  第二板材
１４  第二貫通孔
１５  ロックピン
２０  止着部
Ｒ  ロープ
Ｒａ  フック
３０  リール
３１  支持軸
４０  補助脚体
４１  補助索
４２  脚杆体
４３  係止杆体
４４  連結部
【図１】
2015195952.tif 000003
【図２】
2015195952.tif 000004
【図３】
2015195952.tif 000005
【図４】
2015195952.tif 000006
【図５】
2015195952.tif 000007
【図６】
2015195952.tif 000008
【図７】
2015195952.tif 000009
【図８】
2015195952.tif 000010
【図９】
2015195952.tif 000011
【図１０】
2015195952.tif 000012
【図１１】
2015195952.tif 000013
【図１２】
2015195952.tif 000014
【図１３】
2015195952.tif 000015
【図１４】
2015195952.tif 000016
【図１５】
2015195952.tif 000017